(57)【要約】【課題】印字した血圧データの管理を容易にすること。【解決手段】測定部を圧迫するカフと、カフを加圧する加圧手段と、血圧を算出する血圧算出手段と、算出した複数回の血圧データを測定日時と関連付けて記憶する記憶手段と、記憶した血圧データを印字するプリンタとを有する電子血圧計において、記憶手段が記憶している複数の血圧データをプリンタで印字するときに、操作手段によって選択され表示部に表示されている血圧データが、月の前半に属する場合は、その月の前半に測定された血圧データを印字し、表示部に表示された血圧データが、月の後半に属する場合は、その月の後半に測定された血圧データを印字することを特徴とする。【選択図】図３
2012205672.tif 000002
【特許請求の範囲】
【請求項１】
測定部を圧迫するカフと、カフを加圧する加圧手段と、血圧を算出する血圧算出手段と、算出した複数回の血圧データを測定日時と関連付けて記憶する記憶手段と、記憶した血圧データを印字するプリンタとを有する電子血圧計において、
血圧データを選択する操作手段を有し、前記記憶手段が記憶している複数の血圧データのうち所定範囲を前記プリンタで印字する場合に、前記操作手段よって選択された血圧データを含む所定範囲の血圧データを印字することを特徴とする電子血圧計。
【請求項２】
血圧データを表示する表示手段を有し、前記操作手段によって選択された血圧データを表示手段に表示し、表示された血圧データを含む所定範囲の血圧データを印字することを特徴とする請求項１に記載の電子血圧計。
【請求項３】
前記操作手段によって選択され、表示部に表示された血圧データが、月の前半に属する場合は、その月の前半に測定された血圧データを印字し、
前記操作手段によって選択され、表示部に表示された血圧データが、月の後半に属する場合は、その月の後半に測定された血圧データを印字することを特徴とする請求項１または２に記載の電子血圧計。
【請求項４】
前記半月分の血圧データを１枚の用紙に印字することを特徴とする請求項１から３のいずれか一項に記載の電子血圧計。
【発明の詳細な説明】
【技術分野】
【０００１】
この発明は、電子血圧計に関する。
【背景技術】
【０００２】
測定した血圧データを記憶し、記憶した血圧データを印字するプリンタを備えた電子血圧計（プリンタ付き電子血圧計）がある。プリンタ付き電子血圧計は、測定した血圧データをメモリに記憶させ、必要に応じてメモリに記憶された血圧データをプリンタによって記録紙に印字できるようになっている。
【０００３】
上記のような従来のプリンタ付き電子血圧計では、複数回分（例えば、１４回分）の血圧データを記憶し印字できるようになっている。そして、記憶した血圧データを印字する場合、新しく記憶された血圧データから順番に印字されるようになっている（特許文献１）。
【０００４】
例えば、１４回分の血圧データがメモリに記憶されている場合、血圧計の印字スイッチを押すと、ＣＰＵはメモリに記憶された最も古い血圧データから順に一番最近に記憶された血圧データまでを読み出して順番に出力して印字させる。
【先行技術文献】
【特許文献】
【０００５】
【特許文献１】実開平０４−０６１５０３号公報
【発明の概要】
【発明が解決しようとする課題】
【０００６】
しかしながら、上述した従来の技術の電子血圧計においては、図８（ａ）に示されるように血圧データを記憶している場合に、１１月２日に印刷を実行すると、記憶されている最新の１４日分のデータである１０月１９日から１１月２日までの血圧データを印字する。
【０００７】
また、図８（ｂ）に示されるように血圧データを記憶している場合に、１１月１２日に印刷を実行すると、記憶されている最新の１４日分のデータである１０月２２日から１１月５日までの血圧データを印字することになる。そうすると、１１月２日に印刷した印刷用紙と１１月１２日に印刷した印刷用紙との両方に１０月２２日から１１月２日の血圧データが印刷される。
【０００８】
つまり、最新の測定から所定の回数分の血圧データを印字するので、印刷された血圧データが月を跨いだ血圧データであったり、別々の印字用紙に同じ血圧データを印字したりすることになり、印刷物を保管管理するのが煩雑であるという問題があった。
【０００９】
また、上述した従来の電子血圧計においては、図８（ｂ）に示されるように血圧データを記憶している場合に、１１月１２日に印刷を実行すると、記憶されている最新の１４日分のデータを印字するため１０月２１日以前の血圧データは印字されない。
【００１０】
つまり、最新の測定から所定の回数分の血圧データを印字するので、１４回分（２週間）より前の血圧データが記憶されていても印刷することができず、印刷を忘れた場合にその期間の測定値を印刷して確認することができないという問題があった。
【００１１】
この発明は、上述した従来技術による問題点を解消するため、印字した血圧データの管理が容易にできる電子血圧計を提供することを目的とする。
【００１２】
また、この発明は、上述した従来技術による問題点を解消するため、血圧の推移を容易に比較することができる電子血圧計を提供することを目的とする。
【課題を解決するための手段】
【００１３】
上述した課題を解決し、目的を達成するため、この発明にかかる電子血圧計は、測定部を圧迫するカフと、カフを加圧する加圧手段と、血圧を算出する血圧算出手段と、算出した複数回の血圧データを測定日時と関連付けて記憶する記憶手段と、記憶した血圧データを印字するプリンタとを有する電子血圧計において、血圧データを選択する操作手段を有し、記憶手段が記憶している複数の血圧データの所定範囲をプリンタで印字する場合に、操作手段よって選択された血圧データを含む所定範囲の血圧データを印字することを特徴とする。
【００１４】
また、この発明にかかる電子血圧計は、上記の発目において、血圧データを表示する表示手段を有し、操作手段よって選択され、表示手段に表示された血圧データを含む所定範囲の血圧データを印字することを特徴とする。
【００１５】
また、この発明にかかる電子血圧計は、上記の発目において、前記操作手段によって選択され、表示部に表示された血圧データが、１ヶ月の前半に属する場合は、その月の前半に測定された血圧データを印字し、
前記操作手段によって選択され、表示部に表示された血圧データが、１ヶ月の後半に属する場合は、その月の後半に測定された血圧データを印字することを特徴とする。
【００１６】
また、この発明にかかる電子血圧計は、上記の発目において、前記半月分の血圧データを１枚の印字用紙に印字することを特徴とする。
【発明の効果】
【００１７】
この発明にかかる電子血圧計によれば、選択された血圧データを含む所定範囲の血圧データを印字するので、血圧データの管理が容易になり血圧の推移を比較しやすくできるという効果を奏する。
【図面の簡単な説明】
【００１８】
【図１】この発明にかかる実施の形態の電子血圧計を示す説明図である。
【図２】この発明にかかる実施の形態の電子血圧計を示す説明図である。
【図３】この発明にかかる実施の形態の電子血圧計の機能的構成を示すブロック図である。
【図４】この発明にかかる実施の形態の電子血圧計のメモリと印刷範囲の関係を示す図である。
【図５】この発明にかかる実施の形態の電子血圧計の印字例を示す図である。
【図６】この発明にかかる実施の形態の電子血圧計の印字例を示す図である。
【図７】この発明にかかる実施の形態の電子血圧計の処理手順を示すフローチャートである。
【図８】従来の電子血圧計のメモリと印刷範囲を示す説明図である。
【発明を実施するための形態】
【００１９】
以下に添付図面を参照して、この発明にかかる電子血圧計の好適な実施の形態を詳細に説明する。
（実施の形態）
まず、この発明にかかる実施の形態の電子血圧計の構成について説明する。図１、図２は、この発明にかかる実施の形態の電子血圧計を示す説明図である。図１においては、この発明にかかる実施の形態の電子血圧計の、使用時における外観を斜めから見た状態を示している。
【００２０】
図１において、この発明にかかる実施の形態の電子血圧計１００は、筐体１０１を備えている。筐体１０１は、電子血圧計１００の使用時において前方となる側（前方側、使用者に向けられる側）が浅く、電子血圧計１００の使用時において後方となる側（後方側、使用者から離れた側）が前方側よりも深い箱形形状をなしている。
【００２１】
筐体１０１は、内側に、図示を省略するカフを収納可能な空間をなすカフ収納部２０２を備えている。カフ収納部２０２の上側には、上方に向けて開口する開口部が設けられている。カフは、カフ収納部２０２に対して開口部を介して出し入れされ、電子血圧計１００の不使用時にカフ収納部２０２内に収納される。
【００２２】
筐体１０１の側面には、筐体１０１に内蔵されたプリンタ６０１で印字された用紙を排出する用紙排出口１０３が設けられている。プリンタ６０１での血圧データの印字の詳細については後述する。
【００２３】
筐体１０１には、蓋部材１０２が設けられている。蓋部材１０２は、カフ収納部からカフを出し入れ可能に開放する。蓋部材１０２は、筐体１０１に対して回動可能に連結されている。
【００２４】
蓋部材１０２の一部は、電子血圧計１００の使用を可能とする位置まで回動した状態において、電子血圧計１００の設置面に当接する。
【００２５】
蓋部材１０２の表面（開口部を閉塞する位置に位置付けられた状態における上面）には、図示を省略する液晶表示部（副液晶表示部）が設けられている。蓋部材１０２の裏面（開口部を開放し、電子血圧計１００の使用を可能とする状態における上面）には、液晶表示部２０４および操作部２０５が設けられている。
【００２６】
図２は、蓋部材１０２を示す説明図である。蓋部材１０２の表側に位置する副液晶表示部１０４は、時刻を表示する時計として機能する。時刻は、電子血圧計１００が備える制御部における計時機能によって計時される時刻を表示する。蓋部材１０２の裏側に位置する液晶表示部２０４は、最高血圧値、最低血圧値、脈拍数、体動マーク、脈間隔変動マークなど、電子血圧計１００が測定した各種の測定結果を表示する。液晶表示部２０４は、電池消耗マークや各種のエラーメッセージなどを表示してもよい。
【００２７】
操作部２０５は、各種の操作キーを備えている。操作部２０５における各種の操作キーは、測定・停止ボタン２０６、ユーザ選択ボタン２０８、２０９、朝・夜選択ボタン２１２、２１３、データ前進ボタン２１０、データ後退ボタン２１１、印刷および時計設定ボタン２０７である。
【００２８】
また、この発明にかかる実施の形態の電子血圧計１００は、図示を省略するが、ポンプ、センサ基板、バッファー、フィルター、電磁ＳＬ、カフコネクタ、などを備えている。ポンプ、センサ基板、バッファー、フィルター、電磁ＳＬおよびカフコネクタは、筐体１０１内に設けられている。
【００２９】
ポンプ、センサ基板、バッファー、フィルター、電磁、カフコネクタなど、電子血圧計１００が備えるその他の各部については、公知の技術であるため説明を省略する。
（電子血圧計１００の機能的構成）
つぎに、図３を用いて、この発明にかかる実施の形態の電子血圧計１００の機能的構成について説明する。図３は、この発明にかかる実施の形態の電子血圧計１００の機能的構成を示すブロック図である。電子血圧計１００においては、被測定者がカフ内に腕を挿通させた状態で、操作部２０５における所定の操作キー（測定ボタンなど）を押すと、自動的にカフにエアを送り込んで測定が開始される。
【００３０】
図３において、電子血圧計１００は、メイン制御部５０１と、副液晶表示部１０４と、液晶表示部２０４と、操作部２０５と、ポンプ５１０と、エアバルブ５０７と、圧力センサ５０８と、印字制御部６０２と、印字部６０３などを備えて構成されている。メイン制御部５０１は、ＣＰＵや血圧データを記憶するメモリを有するとともにポンプおよびエアバルブの駆動制御、圧力センサ５０８からの圧力信号の処理など電子血圧計１００全体の制御を司る。
【００３１】
メイン制御部５０１は、ＣＰＵから出力された制御信号に基づいて、ポンプ５１０を駆動制御する。メイン制御部５０１は、ポンプ５１０を駆動制御することによって阻血袋５０９の内腔に空気を送り込み、阻血袋５０９の内腔を加圧する。具体的には、メイン制御部５０１は、測定時において、阻血袋５０９の内腔の圧力が所定の圧力となるように、阻血袋５０９の内腔に圧縮気体を送り込む。
【００３２】
メイン制御部５０１は、ＣＰＵから出力された制御信号に基づいてエアバルブ５０７の開閉状態を制御する。メイン制御部５０１は、エアバルブ５０７を駆動制御することによって、阻血袋５０９の内腔の圧力を維持するとともに、阻血袋５０９の内腔の圧力の減圧をおこなう。具体的には、測定時においてポンプ５１０の動作によって高圧状態となった阻血袋５０９の内腔の圧力の維持および減圧をおこなうとともに、測定終了後において阻血袋５０９の内腔を大気圧に復帰させる。
【００３３】
圧力センサ５０８は、測定時において変化する阻血袋５０９の内腔の圧力を検出し、阻血袋５０９の圧力検出信号を出力する。メイン制御部５０１は、圧力センサ５０８から出力された圧力検出信号を発振回路５０６によって周波数に変換した信号を入力して周波数の変化から阻血袋５０９の圧力を算出する。
【００３４】
メイン制御部５０１は、タイマ機能によって時刻を計時し、計時した時刻信号を副液晶表示部１０４に出力する。副液晶表示部１０４は、メイン制御部５０１から出力された時刻信号に基づいて時刻を表示する。また、メイン制御部５０１は、周波数変換された圧力検出信号から最高血圧値、最低血圧値、脈拍数、体動の有無、脈間隔変動の有無を算出して液晶表示部２０４に出力する。液晶表示部２０４は、メイン制御部５０１から出力された出力信号に基づいて、最高血圧値、最低血圧値、脈拍数、体動マーク、脈間隔変動マークなど、電子血圧計１００が測定した各種の測定結果（血圧データ）を表示する。
【００３５】
液晶表示部２０４に表示された測定結果に基づき、被測定者によって記憶領域を指定するユーザ選択ボタン２０８、２０９（メモリー１、メモリー２）が操作されると、メイン制御部５０１は、測定結果をその測定日時と関連付けて所定のメモリ領域に記憶する。
【００３６】
次に、この発明にかかる実施の形態の電子血圧計１００の測定結果の呼出について説明する。被測定者は、ユーザ選択ボタン２０８、２０９、または、朝・夜選択ボタン２１２、２１３のいずれかを押下する。これらの操作により、押下したボタンに該当するカテゴリーについての条件が指定され、該当する測定結果の平均値が表示される。
【００３７】
被測定者はデータ前進ボタン２１０かデータ後退ボタン２１１のいずれかを選択して押
下する。
【００３８】
データ前進ボタン２１０が選択された場合、電子血圧計１００は、ユーザ「１」や「朝」など指定されたカテゴリーに合致する血圧データを最も新しいものから順に読出し・表示する。
【００３９】
データ後退ボタン２１１が選択された場合には、上述とは逆に、ユーザ「１」や「朝」など指定されたカテゴリーに合致する血圧データを最も古いものから順に読出し表示する。以下データ前進ボタン２１０が押下された場合と同様の手順で読出し表示する。
【００４０】
ユーザ選択ボタンでユーザを指定する前に朝・夜の条件を指定した場合には、直前に血圧データを呼出したユーザの当該朝・夜の血圧データを最も新しい血圧データを表示する。以下、データ前進ボタン２１０が押下される毎に、新しい順に表示して終了する。
【００４１】
また、被測定者がユーザ選択ボタン２０８、２０９を押下した後、データ前進ボタン２１０あるいはデータ後退ボタン２１１を押下した場合には、朝・夜の区別なく、選択されたユーザの血圧データを最も新しいものから、あるいは最も古いものから順番に読出し表示する。
【００４２】
ユーザ選択ボタン２０８、２０９を押下した後、朝・夜選択ボタン２１２、２１３を押下した場合は、該当するユーザの朝または夜の指定した条件の血圧データを表示する。
【００４３】
また、データ前進ボタン２１０かデータ後退ボタン２１１以外のボタンが押下された場合には、押下された条件の血圧データに表示が切り替わる。  
【００４４】
血圧データの読出し方法は、最も古いデータと最も新しいデータとがエンドレスにつながるように、すなわち、例えばデータ前進ボタン２１０が選択されていた場合に、最も古いいデータの次は最も新しいデータが読み出されるようにし、循環的に読み出されるように構成してもよい。
【００４５】
また、データ前進ボタン２１０またはデータ後退ボタン２１１が押下され続けた場合には、早送りされるように構成されてもよい。
【００４６】
図４は、この発明にかかる実施の形態の電子血圧計１００の血圧データと印刷範囲を説明する図である。１０月２０日の血圧データを呼出して表示させた状態で、印刷ボタン２０７を押下して印刷を実行した場合を説明する。この場合、呼出した血圧データが、１０月の後半に含まれるので、１０月の後半である１０月１６日から１０月３１日の間に測定された血圧データが呼出されて印字される。
【００４７】
図５は、上述の場合の印字結果である。印刷用紙に１０月１６日から１０月３１日の間に測定された血圧データが印字されている。上段には、最高血圧値、最低血圧値がそれぞれグラフ表示されている。下段の日付欄に測定日、脈拍欄には脈拍数が印字されている。
【００４８】
このとき、１０月１６日、１８日および２６日は、血圧データが記憶されていないので、上段のグラフおよび下段の脈拍数が印字されていない。このように血圧データが記憶されていない日は何も印字しない状態でも良いが、上段のグラフは血圧データのない前後の日のデータを結ぶグラフを印字しても良い。
【００４９】
次に、図４において、１１月５日の血圧データを呼出して表示させた状態で、印刷ボタン２０７を押下して印刷を実行した場合を説明する。この場合、呼出した血圧データが、
１１月の前半に含まれるので、１１月の前半である１１月５日から１１月１５日の間に測定された血圧データが呼出されて印字される。
【００５０】
図６は、上述の場合の印字結果である。印刷用紙に１１月１日から１１月１５日の間に測定された血圧データが印字されている。上段には、最高血圧値、最低血圧値がそれぞれグラフ表示されている。下段の日付欄に測定日、脈拍欄には脈拍数が印字されている。
【００５１】
このとき、１１月１日から１１月５日までは、血圧データが記憶されているが、１１月６日以降は血圧データが記憶されていない。さらに、１１月１２日以降は印刷実行日より先の日なので未測定となっている。したがって、１１月６日以降は印刷用紙の上段のグラフおよび下段の脈拍数が印字されていない。
【００５２】
このように、本発明では印刷実行日にかかわらず、呼出した血圧データがその月の前半もしく後半のどちらに含まれているかによって、血圧データの印刷範囲を決定して血圧データを印字することで、半月毎の印字結果を１枚ずつ保管しておけば、血圧データの印刷範囲が重複することなく、時系列に全ての血圧データを参照することができるので血圧データの管理が容易になり時系列の血圧の推移を容易に比較することができるものである。
【００５３】
また、血圧データを選択して印刷範囲が決定するので、印刷を忘れた期間があってもその期間の血圧データを選択して印刷することで、血圧データの管理に抜けが生じないようにすることができるものである。
【００５４】
なお、本実施例では、選択された血圧データが月の前半もしくは後半に含まれるかによって印刷範囲を月の前半もしくは後半に決定したが、選択した血圧データによって印刷後にそれぞれの印刷範囲が重複しないように印刷範囲を決定すれば、ひと月やふた月、さらには一週間などのように様々な印刷範囲とすることが可能である。
【００５５】
図７は、この発明にかかる実施の形態の電子血圧計１００の処理手順を示すフローチャートである。
【００５６】
まず、上述のようにメモリに記憶された血圧データを表示する（ステップＳ７０１）。次に、血圧データが表示された状態で、印刷ボタン２０７を押下する（ステップＳ７０２）と、メイン制御部５０１は、表示している血圧データの測定日時を参照し、月の前半または後半のどちらに含まれるデータであるか判別する（ステップＳ７０３）。
【００５７】
ステップＳ７０３で呼出している血圧データが月の前半に含まれる場合は、そのデータを含んでいる月の１日から１５日までの１５日分のデータをメモリから読み出し、印字制御部６０２に送信する（ステップＳ７０４）。
【００５８】
印字制御部６０２は、メイン制御部から送信されたデータを受信し、受信したデータが印字用紙に適した形で印刷されるように印字部６０３を制御して、１５日分のデータを印刷用紙に印字する（ステップＳ７０６）。
【００５９】
ステップＳ７０３で呼出している血圧データの測定日時が月の後半にふくまれる場合は、そのデータを含んでいる月の１６日から月の末日（３０または３１日、ただし２月の場合は、２８または２９日）までの日数（月の末日が３０日の場合１５、３１日の場合１６、２８日の場合は１３、２９日の場合は１４）分のデータをメモリから読み出し、印字制御部６０２に送信する（ステップＳ７０５）。
【００６０】
印字制御部６０２は、メイン制御部から送信されたデータを受信し、受信したデータが
印字用紙に適した形で印刷されるように印字部６０３を制御して、日数分のデータを印刷用紙に印字する（ステップＳ７０６）。
以上説明したように、この実施の形態の電子血圧計１００は、測定部位を圧迫するカフと、カフを加圧する加圧手段と、血圧を算出する血圧算出手段と、算出した複数回の血圧データを測定日時と関連付けて記憶する記憶手段と、記憶した血圧データを印字するプリンタ６０１とを有する電子血圧計において、血圧データを選択する操作手段を有し、記憶手段が記憶する複数の血圧データをプリンタ６０１で印字する場合に、操作手段よって選択された血圧データに基づいて、複数の血圧データの印刷範囲を決定して印字することを特徴とする。
【産業上の利用可能性】
【００６１】
以上のように、この発明にかかる電子血圧計は、血圧の測定結果を印字する電子血圧計に適している。
【符号の説明】
【００６２】
１００  電子血圧計
１０１  筐体
１０２  蓋部材
１０３  用紙排出口
２０２  カフ収納部
２０４  液晶表示部
２０５  操作部
２０６  測定・停止ボタン
２０７  印刷・時刻設定ボタン
２０８  ユーザ選択ボタン（メモリー１）
２０９  ユーザ選択ボタン（メモリー２）
２１０  データ前進ボタン
２１１  データ後退ボタン
２１２  朝選択ボタン
２１３  夜選択ボタン
５０１  メイン制御部
５０７  エアバルブ
５０８  圧力センサ
５０９  阻血袋
５１０  ポンプ
６０１  プリンタ
６０２  印字制御部
６０３  印字部
【図１】
2012205672.tif 000003
【図２】
2012205672.tif 000004
【図３】
2012205672.tif 000005
【図４】
2012205672.tif 000006
【図５】
2012205672.tif 000007
【図６】
2012205672.tif 000008
【図７】
2012205672.tif 000009
【図８】
2012205672.tif 000010